【誤訳訂正書】
【提出日】平成27年6月29日(2015.6.29)
【誤訳訂正１】
【訂正対象書類名】明細書
【訂正対象項目名】００１７
【訂正方法】変更
【訂正の内容】
【００１７】
本発明の１つの態様は、タッチオプション構造を操作する方法であって、前記方法は、デジタルプロセッサによって、原資産、満期、および、投資額の特定を含むタッチオプション注文の選択をサーバーを介して買い手のデジタル装置に通信し、原資産の現行価格を表すエントリー価格を表示し、その後、満期まで、原資産の現行価格の更新された値を記憶する工程、デジタルプロセッサによって、買い手の選択を記録し、原資産、満期、および、投資額で一致するタッチオプション注文を一緒にシリーズに分類し、シリーズの各タッチオプション注文についての買い手のバリアの選択を同様に受け取り、シリーズのタッチオプション注文を処理する工程、シリーズの各注文について、デジタルプロセッサによって、バリアにヒットしなかった注文に対してゼロ値を割り当て、バリアにヒットした買い手については、エントリー価格と注文のバリアの間の隔たりを計算し、シリーズの各注文に関連した買い手の隔たりの格付けを行い、ゼロ値注文は最下位に格付けされる工程、表示構造によって、シリーズの注文の最新のランキングを規則的に、買い手に利用可能なデジタル装置上に表示する工程、タッチオプションが満期になると、デジタルプロセッサによって、ランキングを勝利部分と敗北部分とに分けて、ランキングの勝利部分の買い手のあいだで、請求される手数料を差し引いた有効な総投資シリーズを分けることによって、勝利部分内の買い手への配当を計算する工程、を含む。
【誤訳訂正２】
【訂正対象書類名】明細書
【訂正対象項目名】００１８
【訂正方法】変更
【訂正の内容】
【００１８】
本発明のさらなる態様は、タッチオプション構造を操作する方法を対象としており、前記方法は、デジタルプロセッサによって、カウンターパート取引を有していないタッチオプションに関する買い手の電子取引を処理する工程、シリーズの各注文について、デジタルプロセッサによって、バリアにヒットしていない注文に対してゼロ値を割り当て、バリアにヒットした買い手については、エントリー価格とバリアとの隔たりを計算し、シリーズの各々の注文に関連付けられる買い手の隔たりを計算して、ゼロ値注文が最下位に格付けされる工程、タッチオプションが満期になると、デジタルプロセッサによって、ランキングを勝利部分と敗北部分へと分けて、ランキングの勝利部分の買い手のあいだで、請求される手数料を差し引いた有効な総投資シリーズを分けることによって、勝利部分内の買い手への配当を計算する工程を含む。
【誤訳訂正３】
【訂正対象書類名】明細書
【訂正対象項目名】００１９
【訂正方法】変更
【訂正の内容】
【００１９】
本発明のまたさらなる態様は、バイナリーオプションのためのシステムであり、前記システムは、予想される買い手に利用可能なデジタル装置上に、原資産に対する原資産の現行価格を表すエントリー価格を表示するための表示構造であって、シリーズの注文に関連する隔たりの更新可能な現行のランキングを、買い手と予想される買い手に利用可能なデジタル装置上に表示するための構造も含む、表示構造と、デジタルプロセッサを含み、前記デジタルプロセッサは、ソフトウェアによって、満期まで、原資産の現行価格の更新された値を記録するように、原資産、満期、および、投資額の各々の買い手の選択を記録して、原資産、満期、および、投資額で一致する複数のバイナリーオプション注文を、一緒にシリーズに分類するように、シリーズの各々の買い手について、各バイナリーオプション注文についての買い手のバリアの選択を記録して、シリーズのバイナリーオプション注文を処理するように、シリーズの各注文について、バリアにヒットしなかった注文に対してゼロ値を割り当て、バリアにヒットした買い手については、高いランキングに関連付けられる大きな隔たりの注文のバリアと、注文とともに変化し、買い手の注文が応じられた時のエントリー価格である、エントリー価格との隔たりを計算するように、シリーズの各々の注文に関連付けられる買い手の隔たりの格付けを行い、ゼロ値注文が最下位に格付けされるように、および、バイナリーオプションが満期になると、ランキングを勝利部分と敗北部分へと分けて、ランキングの勝利部分内の買い手のあいだで、手数料を差し引いた有効な総投資シリーズを分けることによって、勝利部分内の買い手への配当を計算するように、プログラムされる。本発明のさらなる態様は、ダブルノータッチオプションのためのシステムを対象としており、該システムは、原資産に対する原資産の現行価格を表わすエントリー価格を、予想される買い手に利用可能なデジタル装置上に表示するための表示構造であって、シリーズの注文に関連した隔たりの更新可能な最新のランキングを買い手に利用可能なデジタル装置上に表示するための構造も含む、表示構造、および、デジタルプロセッサを含み、前記デジタルプロセッサは、ソフトウェアによって、満期まで、原資産の現行価格の更新された値を記録するように、原資産、満期、および、投資額の買い手の選択を記録して、原資産、満期、および、投資額で一致するダブルノータッチオプション注文を、一緒にシリーズに分類するように、シリーズの各々のダブルノータッチオプション注文について、買い手のエントリー価格以上の高いバリアと買い手のエントリー価格以下の低いバリアの買い手の選択を記録して、シリーズのダブルノータッチオプション注文を処理するように、シリーズの各々の注文について、少なくとも１つのバリアにヒットした注文にゼロ値を割り当てて、バリアにヒットしなかった買い手については、高いバリアと低いバリアとの間の隔たりを計算するように、シリーズの各々の注文に関連する買い手の隔たりの格付けを行い、隔たりが小さければ小さいほど、ランキングは高くなり、ゼロ値は最下位に格付けされるように、および、ダブルノータッチオプションが満期になると、ランキングを勝利部分と敗北部分に分けて、ランキングの勝利部分の買い手のあいだで、請求される手数料を差し引いた有効な総投資シリーズを分けることによって、勝利部分の買い手に対する配当を計算するように、プログラムされる。
【誤訳訂正４】
【訂正対象書類名】明細書
【訂正対象項目名】００２０
【訂正方法】変更
【訂正の内容】
【００２０】
本発明のまたさらなる態様は、ダブルツータッチオプション（ｄｏｕｂｌｅ  ｔｗｏ−ｔｏｕｃｈ  ｏｐｔｉｏｎｓ）のためのシステムであり、該システムは、原資産に対する原資産の現行価格を反映するエントリー価格を、予想される買い手に利用可能なデジタル装置上に表示するための表示構造であって、シリーズの注文に関連した隔たりの更新可能な最新のランキングを、買い手と予想される買い手に利用可能なデジタル装置上に表示するための構造も含む、表示構造、および、デジタルプロセッサを含み、前記デジタルプロセッサは、ソフトウェアによって、満期まで、原資産の現行価格の更新された値を記録するように、原資産、満期、および、投資額の買い手の選択を記録して、原資産、満期、および、投資額で一致するダブルツータッチオプション注文を、一緒にシリーズに分類するように、シリーズの各々のダブルツータッチオプション注文について、買い手のエントリー価格以上の高いバリアと買い手のエントリー価格以下の低いバリアの買い手の選択を記録して、シリーズのダブルツータッチオプション注文を処理するように、シリーズの各々の注文について、少なくとも１つのバリアもヒットしなかった注文にゼロ値を割り当て、バリアにヒットした買い手については、高いバリアと低いバリアとの間の隔たりを計算するように、シリーズの各々の注文に関連する買い手の隔たりの格付けを行い、隔たりが大きければ大きいほど、ランキングは高くなり、ゼロ値は最下位に格付けされるように、および、ダブルツータッチオプションが満期になると、ランキングを勝利部分と敗北部分に分けて、ランキングの勝利部分の買い手のあいだで、手数料を差し引いた有効な総投資シリーズを分けることによって、勝利部分における買い手に対する配当を計算するように、プログラムされる。
【誤訳訂正５】
【訂正対象書類名】明細書
【訂正対象項目名】００２１
【訂正方法】変更
【訂正の内容】
【００２１】
本発明のまたさらなる態様は、ノータッチオプションのためのシステムであり、前記システムは、前記システムは、原資産に対する原資産の現行価格を表わすエントリー価格を、予想される買い手に利用可能なデジタル装置上に表示するための表示構造であって、シリーズの注文に関連した隔たりの更新可能な最新のランキングを、買い手と予想される買い手に利用可能なデジタル装置上に表示するための構造も含む、表示構造、および、デジタルプロセッサを含み、前記デジタルプロセッサは、ソフトウェアによって、満期まで、原資産の現行価格の更新された値を記録するように、原資産、満期、および、投資額の買い手の選択を記録して、原資産、満期、および、投資額で一致する複数のノータッチオプション注文を、一緒にシリーズに分類するように、シリーズの各々の買い手について、シリーズの各々のノータッチオプション注文の買い手のバリアの選択を記録して、シリーズのノータッチオプション注文を処理するように、シリーズの各々の注文について、バリアにヒットした注文にゼロ値を割り当て、バリアにヒットしなかった買い手については、注文とともに変化することが可能なランキングを計算するために用いられるとともに買い手の注文が応じられたときのエントリー価格であるエントリー価格と、高いランキングに関連付けられる隔たりの小さな注文のバリアとの間の隔たりを計算するように、シリーズの各々の注文に関連する買い手の隔たりの格付けを行い、ゼロ値が最下位に格付けされるように、および、タッチオプションが満期になると、ランキングを勝利部分と敗北部分に分けて、ランキングの勝利部分の買い手のあいだで、手数料を差し引いた有効な総投資シリーズを分けることによって、勝利部分の買い手に対する配当を計算するように、プログラムされる。
【誤訳訂正６】
【訂正対象書類名】明細書
【訂正対象項目名】００２２
【訂正方法】変更
【訂正の内容】
【００２２】
本発明のさらなる態様は、取引がカウンターパート取引を含まないタッチオプション取引のシステムであって、前記システムは、前記システムは、原資産に対する原資産の現行価格を表わすエントリー価格を、予想される買い手に利用可能なデジタル装置上に表示するための表示構造であって、シリーズの注文に関連した隔たりの更新可能な最新のランキングを、買い手と予想される買い手に利用可能なデジタル装置上に表示するための構造も含む、表示構造、および、デジタルプロセッサを含み、前記デジタルプロセッサは、ソフトウェアによって、満期まで、原資産の現行価格の更新された値を記録するように、原資産、満期、および、投資額の買い手の選択を記録して、原資産、満期、および、投資額で一致するタッチオプション注文を、一緒にシリーズに分類するように、シリーズの各々のタッチオプション注文について、買い手のバリアの選択を記録して、シリーズのタッチオプション注文を処理するように、シリーズの各々の注文について、バリアにヒットしなかった注文にゼロ値を割り当て、バリアにヒットした買い手については、注文とともに変化し、買い手の注文が応じられたときのエントリー価格であり得るエントリー価格と、注文のバリアとの間の隔たりを計算するように、シリーズの各々の注文に関連する買い手の隔たりの格付けを行い、ゼロ値が最下位に格付けされるように、および、タッチオプションが満期になると、ランキングを勝利部分と敗北部分に分けて、ランキングの勝利部分の買い手のあいだで、手数料を差し引いた有効な総投資シリーズを分けることによって、勝利部分における買い手に対する配当を計算するように、プログラムされる。
【誤訳訂正７】
【訂正対象書類名】明細書
【訂正対象項目名】００２３
【訂正方法】変更
【訂正の内容】
【００２３】
本発明のさらなる態様は、ヨーロピアンバイナリーオプションのためのシステムであって、前記システムは、原資産に対する原資産の現行価格を反映するエントリー価格を、予想される買い手に利用可能なデジタル装置上に表示するための表示構造であって、シリーズの注文に関連した隔たりの更新可能な最新のランキングを買い手に利用可能なデジタル装置上に表示するための構造も含む、表示構造、および、デジタルプロセッサを含み、前記デジタルプロセッサは、ソフトウェアによって、満期まで、原資産の現行価格の更新された値を記録するように、原資産、満期、および、投資額の買い手の各々の選択を記録して、原資産、満期、および、投資額で一致する複数のヨーロピアンバイナリーオプション注文を、一緒にシリーズに分類するように、シリーズの各々の買い手について、シリーズの各々のヨーロピアンバイナリーオプション注文のバリアについての買い手の選択を記録して、シリーズのヨーロピアンバイナリーオプション注文を処理するように、シリーズの各々の注文について、満期での終値によってバリアに到達しなかった注文に対してゼロ値を割り当て、満期での終値によってバリアに到達した買い手については、注文とともに変化し、買い手の注文が応じられたときのエントリー価格であり得るエントリー価格と、高いランキングに関連付けられる隔たりの大きな注文のバリアとの間の隔たりを計算するように、および、ヨーロピアンバイナリーオプションが満期になると、シリーズの各々の注文に関連した買い手の隔たりの格付けを行い、ゼロ値が最下位に格付けされるように、ランキングを勝利部分と敗北部分に分けて、ランキングの勝利部分の買い手のあいだで、手数料を差し引いた有効な総投資シリーズを分けることによって、勝利部分の買い手に対する配当を計算するように、プログラムされる。
【誤訳訂正８】
【訂正対象書類名】明細書
【訂正対象項目名】００２４
【訂正方法】変更
【訂正の内容】
【００２４】
本発明のさらなる態様は、ヨーロピアンバイナリーオプションのためのシステムであって、前記システムは、原資産に対する原資産の現行価格を表わすエントリー価格を、予想される買い手に利用可能なデジタル装置上に表示するための表示構造であって、シリーズの注文に関連した隔たりの更新可能な最新のランキングを、買い手と予想される買い手に利用可能なデジタル装置上に表示するための構造も含む、表示構造、および、デジタルプロセッサを含み、前記デジタルプロセッサは、ソフトウェアによって、満期まで、原資産の現行価格の更新された値を記録するように、原資産、満期、および、投資額の買い手の各々の選択を記録して、原資産、満期、および、投資額で一致する複数のヨーロピアンバイナリーオプション注文を、一緒にシリーズに分類するように、シリーズの各々の買い手について、シリーズの各々のヨーロピアンバイナリーオプション注文のバリアについての買い手の選択を記録して、シリーズのヨーロピアンバイナリーオプション注文を処理するように、シリーズの各々の注文について、満期での終値によってバリアに到達した注文にゼロ値を割り当て、満期での終値によってもバリアに到達しなかった買い手について、注文とともに変化可能なランキングを計算するために用いられるとともに、買い手の注文が応じられたときのエントリー価格であるエントリー価格と、高いランキングに関連付けられる隔たりの小さな注文のバリアとの間の隔たりを計算するように、ヨーロピアンバイナリーオプションが満期になると、シリーズの各々の注文に関連した買い手の隔たりの格付けを行い、ゼロ値が最下位に格付けされるように、および、ランキングを勝利部分と敗北部分に分けて、ランキングの勝利部分の買い手のあいだで、手数料を差し引いた有効な総投資シリーズを分けることによって、勝利部分の買い手に対する配当を計算するように、プログラムされる。
【誤訳訂正９】
【訂正対象書類名】明細書
【訂正対象項目名】００４４
【訂正方法】変更
【訂正の内容】
【００４４】
システム（１０）は、買い手に対して、原資産、満期、および、投資額を含む、タッチオプション注文選択であってもよい、バイナリーオプション注文選択を与えるように（ソフトウェアまたは他のものを用いて）プログラムされたデジタルプロセッサ（３０）を含んでもよい。デジタルプロセッサ（３０）は、満期まで、原資産のエントリー価格、その後、現行価格の更新された値を記憶し、「満期」は、実施形態によっては、カレンダーの日付以外の期間または時点のことを言い、したがって、用語「満期」とは、そのような満了期間または満了時点を含むものと理解されなければならない。
【誤訳訂正１０】
【訂正対象書類名】特許請求の範囲
【訂正対象項目名】全文
【訂正方法】変更
【訂正の内容】
【特許請求の範囲】
【請求項１】
タッチオプション構造を操作する方法であって、
前記方法は、
デジタルプロセッサによって、原資産、満期、および、投資額の特定を含むタッチオプション注文の選択をサーバーを介して買い手のデジタル装置に通信し、原資産の現行価格を表すエントリー価格を表示し、その後、満期まで、原資産の現行価格の更新された値を記憶する工程、
デジタルプロセッサによって、買い手の選択を記録し、原資産、満期、および、投資額で一致するタッチオプション注文を一緒にシリーズに分類し、シリーズの各タッチオプション注文についての買い手のバリアの選択を同様に受け取り、シリーズのタッチオプション注文を処理する工程、
シリーズの各注文について、デジタルプロセッサによって、バリアにヒットしなかった注文に対してゼロ値を割り当て、バリアにヒットした買い手については、エントリー価格と注文のバリアの間の隔たりを計算し、シリーズの各注文に関連した買い手の隔たりの格付けを行い、ゼロ値注文は最下位に格付けされる工程、
表示構造によって、シリーズの注文の最新のランキングを規則的に、買い手に利用可能なデジタル装置上に表示する工程、
タッチオプションが満期になると、デジタルプロセッサによって、ランキングを勝利部分と敗北部分とに分けて、ランキングの勝利部分の買い手のあいだで、請求される手数料を差し引いた有効な総投資シリーズを分けることによって、勝利部分内の買い手への配当を計算する工程、を含む、方法。
【請求項２】
シリーズのランキングのどれだけの割合が勝利部分となるのかの選択をするように買い手に促し、さらに同様の選択をした買い手を一緒に分類する工程をさらに含む、請求項１に記載の方法。
【請求項３】
デジタルプロセッサによって、注文が応じられた後に、ランキングを表示する表示構造を見て、満期前に、買い手が変更したバリアの選択を受け取る工程であって、変更された選択前のバリアがエントリー価格を上回る場合は、変更された選択がバリアをエントリー価格を上回るポイントに再設定し、変更された選択前のバリアがエントリー価格を下回る場合は、変更された選択がバリアをエントリー価格を下回るポイントに再設定する工程をさらに含む、請求項１に記載の方法。
【請求項４】
デジタルプロセッサによって、注文が応じられた後、満期前に、買い手が変更したバリアの選択を受け取る工程であって、変更された選択前のバリアがエントリー価格を上回る場合は、変更された選択がバリアをエントリー価格を上回るポイントに再設定し、変更された選択前のバリアがエントリー価格を下回る場合は、変更された選択がバリアをエントリー価格を下回るポイントに再設定する工程をさらに含む、請求項１に記載の方法。
【請求項５】
買い手が、最初の注文で複数のバリアを選択することを可能にし、デジタルプロセッサによって、隔たりを格付けする際に、高いランキングを生み出す複数のバリア中のバリアのみを用いる工程をさらに含む、請求項１に記載の方法。
【請求項６】
タッチオプション構造を操作する方法であって、
前記方法は、
デジタルプロセッサによって、カウンターパート取引を有していないタッチオプションに関する買い手の電子取引を処理する工程、
シリーズの各注文について、デジタルプロセッサによって、バリアにヒットしていない注文に対してゼロ値を割り当て、バリアにヒットした買い手については、エントリー価格とバリアとの隔たりを計算し、シリーズの各々の注文に関連付けられる買い手の隔たりを計算して、ゼロ値注文が最下位に格付けされる工程、
タッチオプションが満期になると、デジタルプロセッサによって、ランキングを勝利部分と敗北部分へと分けて、ランキングの勝利部分の買い手のあいだで、請求される手数料を差し引いた有効な総投資シリーズを分けることによって、勝利部分内の買い手への配当を計算する工程を含む、方法。
【請求項７】
前記勝利部分によって、シリーズにおけるランキングの上位半分を表し、かつ、勝利した買い手は投資額の２倍を受け取る、請求項６に記載の方法。
【請求項８】
エントリー価格とバリアの間の隔たりが、パーセント数値での隔たりを用いることによってポイントで測定される際、得られる同順位の均衡の中でどのランキングがより高いかを、デジタルプロセッサによって決定する工程をさらに含む、請求項６に記載の方法。
【請求項９】
パーセント数値での隔たりを用いた後も変わらない同順位に関して、どちらの注文がポジション保有期間が短いか、あるいは、ノータッチオプションとダブルノータッチオプションの場合はポジション保有期間が長いかを測定することによって、依然として残っている同順位の均衡の中でどのランキングがより高いかを、デジタルプロセッサにより決定する工程をさらに含む、請求項８に記載の方法。
【請求項１０】
同順位が依然として存在する場合、デジタルプロセッサによって、応じられた時間が早い方の注文が、順位の決定に使用される、請求項９に記載の方法。
【請求項１１】
バイナリーオプションのためのシステムであって、
前記システムは、
予想される買い手に利用可能なデジタル装置上に、原資産に対する原資産の現行価格を表すエントリー価格を表示するための表示構造であって、シリーズの注文に関連する隔たりの更新可能な現行のランキングを、買い手と予想される買い手に利用可能なデジタル装置上に表示するための構造も含む、表示構造と、
デジタルプロセッサを含み、
前記デジタルプロセッサは、ソフトウェアによって、
満期まで、原資産の現行価格の更新された値を記録するように、
原資産、満期、および、投資額の各々の買い手の選択を記録して、原資産、満期、および、投資額で一致する複数のバイナリーオプション注文を、一緒にシリーズに分類するように、
シリーズの各々の買い手について、各バイナリーオプション注文についての買い手のバリアの選択を記録して、シリーズのバイナリーオプション注文を処理するように、
シリーズの各注文について、バリアにヒットしなかった注文に対してゼロ値を割り当て、バリアにヒットした買い手については、高いランキングに関連付けられる大きな隔たりの注文のバリアと、注文とともに変化し、買い手の注文が応じられた時のエントリー価格である、エントリー価格との隔たりを計算するように、
シリーズの各々の注文に関連付けられる買い手の隔たりの格付けを行い、ゼロ値注文が最下位に格付けされるように、および、
バイナリーオプションが満期になると、ランキングを勝利部分と敗北部分へと分けて、ランキングの勝利部分内の買い手のあいだで、手数料を差し引いた有効な総投資シリーズを分けることによって、勝利部分内の買い手への配当を計算するように、プログラムされる、システム。
【請求項１２】
絶対的なポイントで測定された、エントリー価格とバリアとの間の隔たりをさらに含む、請求項１１に記載のシステム。
【請求項１３】
バリアがエントリー価格以上である場合の、与えられた注文のエントリー価格とバリアとの間の増加率として、および、バリアがエントリー価格以下である場合の、与えられた注文のエントリー価格とバリアとの間の減少率として、測定される、エントリー価格とバリアとの間の隔たりをさらに含み、増加率と減少率の比較は、絶対値に基づいてなされる、請求項１１に記載のシステム。
【請求項１４】
バリアにヒットしない限り、買い手の最初の注文が応じられた後に、バリアは買い手によって動かすことができる、請求項１１に記載のシステム。
【請求項１５】
バリアはエントリー価格を超えては動かすことはできない、請求項１４に記載のシステム。
【請求項１６】
買い手はオプションの購入時に追加のバリアを設定することができる、請求項１１に記載のシステム。
【請求項１７】
注文は条件注文を含む、請求項１１に記載のシステム。
【請求項１８】
ダブルノータッチオプションのためのシステムであって、
前記システムは、
原資産に対する原資産の現行価格を表わすエントリー価格を、予想される買い手に利用可能なデジタル装置上に表示するための表示構造であって、シリーズの注文に関連した隔たりの更新可能な最新のランキングを買い手に利用可能なデジタル装置上に表示するための構造も含む、表示構造、および、
デジタルプロセッサを含み、
前記デジタルプロセッサは、ソフトウェアによって、
満期まで、原資産の現行価格の更新された値を記録するように、
原資産、満期、および、投資額の買い手の選択を記録して、原資産、満期、および、投資額で一致するダブルノータッチオプション注文を、一緒にシリーズに分類するように、
シリーズの各々のダブルノータッチオプション注文について、買い手のエントリー価格以上の高いバリアと買い手のエントリー価格以下の低いバリアの買い手の選択を記録して、シリーズのダブルノータッチオプション注文を処理するように、
シリーズの各々の注文について、少なくとも１つのバリアにヒットした注文にゼロ値を割り当てて、バリアにヒットしなかった買い手については、高いバリアと低いバリアとの間の隔たりを計算するように、
シリーズの各々の注文に関連する買い手の隔たりの格付けを行い、隔たりが小さければ小さいほど、ランキングは高くなり、ゼロ値は最下位に格付けされるように、および、
ダブルノータッチオプションが満期になると、ランキングを勝利部分と敗北部分に分けて、ランキングの勝利部分の買い手のあいだで、請求される手数料を差し引いた有効な総投資シリーズを分けることによって、勝利部分の買い手に対する配当を計算するように、プログラムされる、システム。
【請求項１９】
勝利ランキングを含む最新の更新可能なランキングをさらに含む、請求項１８に記載のシステム。
【請求項２０】
オプションの購入時、買い手は、エントリー価格の一方の側、または、両側に、追加のバリアを設定することができる、請求項１８に記載のシステム。
【請求項２１】
買い手の注文が応じられた後に、ヒットしなかったバリアは、バリア間の隔たりを大きくするために、買い手によって動かすことができる、請求項１８に記載のシステム。
【請求項２２】
注文は条件注文を含む、請求項１８に記載のシステム。
【請求項２３】
ダブルツータッチオプションのためのシステムであって、
前記システムは、
原資産に対する原資産の現行価格を反映するエントリー価格を、予想される買い手に利用可能なデジタル装置上に表示するための表示構造であって、シリーズの注文に関連した隔たりの更新可能な最新のランキングを、買い手と予想される買い手に利用可能なデジタル装置上に表示するための構造も含む、表示構造、および、
デジタルプロセッサを含み、
前記デジタルプロセッサは、ソフトウェアによって、
満期まで、原資産の現行価格の更新された値を記録するように、
原資産、満期、および、投資額の買い手の選択を記録して、原資産、満期、および、投資額で一致するダブルツータッチオプション注文を、一緒にシリーズに分類するように、
シリーズの各々のダブルツータッチオプション注文について、買い手のエントリー価格以上の高いバリアと買い手のエントリー価格以下の低いバリアの買い手の選択を記録して、シリーズのダブルツータッチオプション注文を処理するように、
シリーズの各々の注文について、少なくとも１つのバリアもヒットしなかった注文にゼロ値を割り当て、バリアにヒットした買い手については、高いバリアと低いバリアとの間の隔たりを計算するように、
シリーズの各々の注文に関連する買い手の隔たりの格付けを行い、隔たりが大きければ大きいほど、ランキングは高くなり、ゼロ値は最下位に格付けされるように、および、
ダブルツータッチオプションが満期になると、ランキングを勝利部分と敗北部分に分けて、ランキングの勝利部分の買い手のあいだで、手数料を差し引いた有効な総投資シリーズを分けることによって、勝利部分における買い手に対する配当を計算するように、プログラムされる、システム。
【請求項２４】
オプションの購入時、買い手は、エントリー価格の一方の側、または、両側に、追加のバリアを設定することができる、請求項２３に記載のシステム。
【請求項２５】
買い手の注文が応じられた後に、ヒットしなかったバリアは、エントリー価格を超えないように、買い手によって動かすことができる、請求項２３に記載のシステム。
【請求項２６】
ノータッチオプションのためのシステムであって、
前記システムは、
原資産に対する原資産の現行価格を表わすエントリー価格を、予想される買い手に利用可能なデジタル装置上に表示するための表示構造であって、シリーズの注文に関連した隔たりの更新可能な最新のランキングを、買い手と予想される買い手に利用可能なデジタル装置上に表示するための構造も含む、表示構造、および、
デジタルプロセッサを含み、
前記デジタルプロセッサは、ソフトウェアによって、
満期まで、原資産の現行価格の更新された値を記録するように、
原資産、満期、および、投資額の買い手の選択を記録して、原資産、満期、および、投資額で一致する複数のノータッチオプション注文を、一緒にシリーズに分類するように、
シリーズの各々の買い手について、シリーズの各々のノータッチオプション注文の買い手のバリアの選択を記録して、シリーズのノータッチオプション注文を処理するように、
シリーズの各々の注文について、バリアにヒットした注文にゼロ値を割り当て、バリアにヒットしなかった買い手については、注文とともに変化することが可能なランキングを計算するために用いられるとともに買い手の注文が応じられたときのエントリー価格であるエントリー価格と、高いランキングに関連付けられる隔たりの小さな注文のバリアとの間の隔たりを計算するように、
シリーズの各々の注文に関連する買い手の隔たりの格付けを行い、ゼロ値が最下位に格付けされるように、および、
タッチオプションが満期になると、ランキングを勝利部分と敗北部分に分けて、ランキングの勝利部分の買い手のあいだで、手数料を差し引いた有効な総投資シリーズを分けることによって、勝利部分の買い手に対する配当を計算するように、プログラムされる、システム。
【請求項２７】
オプションの購入時、買い手は、エントリー価格の一方の側、または、両側に、追加のバリアを設定することができる、請求項２６に記載のシステム。
【請求項２８】
バリアにヒットしていない限り、バリアは、バリア間の隔たりを大きくするために、買い手の注文が応じられた後に、買い手によって動かすことができる、請求項２６に記載のシステム。
【請求項２９】
取引がカウンターパート取引を含まない、タッチオプション取引のシステムであって、
前記システムは、
原資産に対する原資産の現行価格を表わすエントリー価格を、予想される買い手に利用可能なデジタル装置上に表示するための表示構造であって、シリーズの注文に関連した隔たりの更新可能な最新のランキングを、買い手と予想される買い手に利用可能なデジタル装置上に表示するための構造も含む、表示構造、および、
デジタルプロセッサを含み、
前記デジタルプロセッサは、ソフトウェアによって、
満期まで、原資産の現行価格の更新された値を記録するように、
原資産、満期、および、投資額の買い手の選択を記録して、原資産、満期、および、投資額で一致するタッチオプション注文を、一緒にシリーズに分類するように、
シリーズの各々のタッチオプション注文について、買い手のバリアの選択を記録して、シリーズのタッチオプション注文を処理するように、
シリーズの各々の注文について、バリアにヒットしなかった注文にゼロ値を割り当て、バリアにヒットした買い手については、注文とともに変化し、買い手の注文が応じられたときのエントリー価格であり得るエントリー価格と、注文のバリアとの間の隔たりを計算するように、
シリーズの各々の注文に関連する買い手の隔たりの格付けを行い、ゼロ値が最下位に格付けされるように、および、
タッチオプションが満期になると、ランキングを勝利部分と敗北部分に分けて、ランキングの勝利部分の買い手のあいだで、手数料を差し引いた有効な総投資シリーズを分けることによって、勝利部分における買い手に対する配当を計算するように、プログラムされる、システム。
【請求項３０】
ヨーロピアンバイナリーオプションのためのシステムであって、
前記システムは、
原資産に対する原資産の現行価格を反映するエントリー価格を、予想される買い手に利用可能なデジタル装置上に表示するための表示構造であって、シリーズの注文に関連した隔たりの更新可能な最新のランキングを買い手に利用可能なデジタル装置上に表示するための構造も含む、表示構造、および、
デジタルプロセッサを含み、
前記デジタルプロセッサは、ソフトウェアによって、
満期まで、原資産の現行価格の更新された値を記録するように、
原資産、満期、および、投資額の買い手の各々の選択を記録して、原資産、満期、および、投資額で一致する複数のヨーロピアンバイナリーオプション注文を、一緒にシリーズに分類するように、
シリーズの各々の買い手について、シリーズの各々のヨーロピアンバイナリーオプション注文のバリアについての買い手の選択を記録して、シリーズのヨーロピアンバイナリーオプション注文を処理するように、
シリーズの各々の注文について、満期での終値によってバリアに到達しなかった注文に対してゼロ値を割り当て、満期での終値によってバリアに到達した買い手については、注文とともに変化し、買い手の注文が応じられたときのエントリー価格であり得るエントリー価格と、高いランキングに関連付けられる隔たりの大きな注文のバリアとの間の隔たりを計算するように、および、
ヨーロピアンバイナリーオプションが満期になると、シリーズの各々の注文に関連した買い手の隔たりの格付けを行い、ゼロ値が最下位に格付けされるように、
ランキングを勝利部分と敗北部分に分けて、ランキングの勝利部分の買い手のあいだで、手数料を差し引いた有効な総投資シリーズを分けることによって、勝利部分の買い手に対する配当を計算するように、プログラムされる、システム。
【請求項３１】
オプションの購入時、買い手は、エントリー価格の一方の側、または、両側に、追加のバリアを選択することができ、もっとも高いランキングを生み出すバリアが考慮されるバリアである、請求項３０に記載のシステム。
【請求項３２】
ヨーロピアンバイナリーオプションのためのシステムであって、
前記システムは、
原資産に対する原資産の現行価格を表わすエントリー価格を、予想される買い手に利用可能なデジタル装置上に表示するための表示構造であって、シリーズの注文に関連した隔たりの更新可能な最新のランキングを、買い手と予想される買い手に利用可能なデジタル装置上に表示するための構造も含む、表示構造、および、
デジタルプロセッサを含み、
前記デジタルプロセッサは、ソフトウェアによって、
満期まで、原資産の現行価格の更新された値を記録するように、
原資産、満期、および、投資額の買い手の各々の選択を記録して、原資産、満期、および、投資額で一致する複数のヨーロピアンバイナリーオプション注文を、一緒にシリーズに分類するように、
シリーズの各々の買い手について、シリーズの各々のヨーロピアンバイナリーオプション注文のバリアについての買い手の選択を記録して、シリーズのヨーロピアンバイナリーオプション注文を処理するように、
シリーズの各々の注文について、満期での終値によってバリアに到達した注文にゼロ値を割り当て、満期での終値によってもバリアに到達しなかった買い手について、注文とともに変化可能なランキングを計算するために用いられるとともに、買い手の注文が応じられたときのエントリー価格であるエントリー価格と、高いランキングに関連付けられる隔たりの小さな注文のバリアとの間の隔たりを計算するように、
ヨーロピアンバイナリーオプションが満期になると、シリーズの各々の注文に関連した買い手の隔たりの格付けを行い、ゼロ値が最下位に格付けされるように、および、
ランキングを勝利部分と敗北部分に分けて、ランキングの勝利部分の買い手のあいだで、手数料を差し引いた有効な総投資シリーズを分けることによって、勝利部分の買い手に対する配当を計算するように、プログラムされる、システム。